(57)【要約】【課題】作業性の向上を図る。【解決手段】端子カバー１０は、カバー本体１１と蓋１７とを合体して構成され、カバー本体１１には、複数の端子金具３０Ａ，３０Ｂを個別に嵌合させる複数の嵌合部１５Ａ，１５Ｂが形成され、複数の嵌合部１５Ａ，１５Ｂのうち少なくとも１つの嵌合部１５Ａは、端子金具３０Ａをカバー本体１１からの離脱規制状態に嵌合させるようになっており、全ての端子金具３０Ａ，３０Ｂは、嵌合部１５Ａ，１５Ｂに嵌合された状態において、ボルト４４の軸線と交差する方向において互いに相対変位可能とされている。【選択図】図１
2012069271.tif 000002
【特許請求の範囲】
【請求項１】
相手側端子に対して個別にボルトで固定される複数の端子金具を、端子カバーに組み付けるための組付け構造であって、
前記端子カバーは、カバー本体と蓋とを合体して構成され、
前記カバー本体には、前記複数の端子金具を個別に嵌合させる複数の嵌合部が形成され、
前記複数の嵌合部のうち少なくとも１つは、前記端子金具を前記カバー本体からの離脱規制状態に嵌合させるようになっており、
全ての前記端子金具は、前記嵌合部に嵌合された状態において、前記ボルトの軸線と交差する方向において互いに相対変位可能とされていることを特徴とする端子カバーと端子金具の組付け構造。
【請求項２】
前記嵌合部は、前記端子金具に形成した嵌合孔に対し貫通するように嵌合される突起状をなしていることを特徴とする請求項１記載の端子カバーと端子金具の組付け構造。
【請求項３】
前記嵌合部のうち前記端子金具を貫通した突出端側の位置には、前記蓋に形成した係止部を係止させることで前記カバー本体と前記蓋を合体状態にロック可能なロック部が形成されていることを特徴とする請求項２記載の端子カバーと端子金具の組付け構造。
【請求項４】
前記嵌合部は、前記カバー本体と前記蓋を合体した状態で前記蓋を貫通する形態とされており、
前記蓋には、前記蓋の外面側に突出した形態であって、前記カバー本体と前記蓋を合体した状態で前記嵌合部の突出端部を包囲する筒状部が形成されていることを特徴とする請求項２又は請求項３に記載の端子カバーと端子金具の組付け構造。
【発明の詳細な説明】
【技術分野】
【０００１】
本発明は、端子カバーと端子金具の組付け構造に関するものである。
【背景技術】
【０００２】
特許文献１には、相手側端子に対して個別にボルトで固定される複数の端子金具を、端子カバーに取り付ける構造が開示されている。端子カバーは、上部材と下部材とを合体して構成され、下部材には、複数の端子金具を個別に収容するための複数の凹部が形成されている。端子カバーに端子金具を組み付ける際には、下部材の凹部に端子金具を収容し、その後、上部材を下部材に被せるように合体させる。
【先行技術文献】
【特許文献】
【０００３】
【特許文献１】特開２００８−０９８１０３号公報
【発明の概要】
【発明が解決しようとする課題】
【０００４】
上記の組付け構造においては、下部材の凹部は単に端子金具を収容しているだけなので、１つの端子金具を凹部に収容した後、別の端子金具を凹部に収容しようとするときに、収容済みの端子金具が凹部から離脱してしまう虞があり、作業性の点で改善が望まれる。
【０００５】
また、上部材と下部材を合体させて複数の端子金具を端子カバーに組み付けた状態では、複数の端子金具が、全て、端子カバーに対して相対変位を規制された状態に固定されるようになっている。そのため、複数の相手側端子同士の間で位置ずれを生じていた場合には、いずれかの端子金具のボルト孔が相手側端子と整合しなくなり、ボルト締めの作業に支障を来す虞があり、この点においても、作業性の改善が望まれる。
【０００６】
本発明は上記のような事情に基づいて完成されたものであって、作業性の向上を図ることを目的とする。
【課題を解決するための手段】
【０００７】
上記の目的を達成するための手段として、請求項１の発明は、相手側端子に対して個別にボルトで固定される複数の端子金具を、端子カバーに組み付けるための組付け構造であって、前記端子カバーは、カバー本体と蓋とを合体して構成され、前記カバー本体には、前記複数の端子金具を個別に嵌合させる複数の嵌合部が形成され、前記複数の嵌合部のうち少なくとも１つは、前記端子金具を前記カバー本体からの離脱規制状態に嵌合させるようになっており、全ての前記端子金具は、前記嵌合部に嵌合された状態において、前記ボルトの軸線と交差する方向において互いに相対変位可能とされているところに特徴を有する。
【０００８】
請求項２の発明は、請求項１に記載のものにおいて、前記嵌合部は、前記端子金具に形成した嵌合孔に対し貫通するように嵌合される突起状をなしているところに特徴を有する。
【０００９】
請求項３の発明は、請求項２に記載のものにおいて、前記嵌合部のうち前記端子金具を貫通した突出端側の位置には、前記蓋に形成した係止部を係止させることで前記カバー本体と前記蓋を合体状態にロック可能なロック部が形成されているところに特徴を有する。
【００１０】
請求項４の発明は、請求項２又は請求項３に記載のものにおいて、前記嵌合部は、前記カバー本体と前記蓋を合体した状態で前記蓋を貫通する形態とされており、前記蓋には、前記蓋の外面側に突出した形態であって、前記カバー本体と前記蓋を合体した状態で前記嵌合部の突出端部を包囲する筒状部が形成されているところに特徴を有する。
【発明の効果】
【００１１】
＜請求項１の発明＞
複数の嵌合部のうち少なくとも１つは、端子金具をカバー本体からの離脱規制状態に嵌合させるようになっているので、この嵌合部に端子金具を最初に嵌合しておけば、他の端子金具を嵌合部に嵌合する際に、嵌合済みの端子金具が嵌合部から離脱することがない。したがって、端子金具をカバー本体に組み付ける際の作業性に優れている。
【００１２】
また、全ての端子金具は、嵌合部に嵌合された状態において、ボルトの軸線と交差する方向において互いに相対変位可能とされているので、複数の相手側端子同士の間で位置ずれが生じていた場合には、その位置ずれに応じて端子金具を相対変位させることにより、各端子金具と相手側端子とを整合させることができる。これにより、ボルト締めの作業を支障なく行うことができる。
【００１３】
＜請求項２の発明＞
嵌合部を突起状としたので、嵌合部の突出寸法を長くして端子金具との嵌合代を大きく確保することができ、これにより、端子金具を確実に嵌合状態に保持することができる。
【００１４】
＜請求項３の発明＞
嵌合部を利用して、カバー本体と蓋を合体状態にロックするようにしたので、嵌合部とは別にロック部を設ける場合に比べると、カバー本体の形状の簡素化を図ることが可能である。
【００１５】
＜請求項４の発明＞
嵌合部の突出寸法を長くして端子金具との嵌合代を大きく確保しようとした場合、蓋を貫通して蓋の外面側に露出した嵌合部の突出端部が、他部材の干渉によって損壊することが懸念される。その点、本発明では、嵌合部の突出端部を、蓋の外面側へ突出させた筒状部で包囲して保護するようにしたので、嵌合部の突出端部の損壊を回避しながら、嵌合部と端子金具との嵌合代を大きく確保することができる。
【図面の簡単な説明】
【００１６】
【図１】実施形態１においてカバー本体に第１端子金具と第２端子金具を取り付けた状態をあらわす正面図
【図２】図１のＸ−Ｘ線断面図
【図３】図１の状態から蓋とカバー本体を合体した状態をあらわす正面図
【図４】図３のＹ−Ｙ線断面図
【図５】蓋とカバー本体を合体した状態の側面図
【図６】蓋とカバー本体を合体する前の状態をあらわす正面図
【図７】第１端子金具と第２端子金具の正面図
【図８】端子金具を相手側端子に接続した状態をあらわす側面図
【図９】端子金具を相手側端子に接続した状態をあらわす平面図
【図１０】実施形態２においてカバー本体に第１端子金具と第２端子金具を取り付けた状態をあらわす正面図
【図１１】図１０のＭ−Ｍ線断面図
【図１２】図１０の状態から蓋とカバー本体を合体した状態をあらわす正面図
【図１３】図１２のＮ−Ｎ線断面図
【図１４】蓋とカバー本体を合体する前の状態をあらわす正面図
【図１５】第１端子金具と第２端子金具の正面図
【発明を実施するための形態】
【００１７】
＜実施形態１＞
以下、本発明を具体化した実施形態１を図１乃至図９を参照して説明する。コネクタＣａは、端子カバー１０に第１と第２の２つの端子金具３０Ａ，３０Ｂを組み付けることによって構成されており、図８に示すように、機器４０に設けた端子台４１に接続されるようになっている。接続に際しては、２つの端子金具３０Ａ，３０Ｂが、軸線を上下方向に向けたボルト４４により、端子台４１の上面に設けた左右一対の相手側端子４２Ａ，４２Ｂに対して個別に固定される。
【００１８】
端子カバー１０は、合成樹脂からなり、図６に示すように、カバー本体１１と蓋１７とをヒンジ２０で連結した単一部品である。以下、カバー本体１１と蓋１７を合体する前の状態、即ち、金型成形された状態に基づいて、端子カバー１０の形状、構造を説明する。
【００１９】
カバー本体１１は、全体として板厚方向を前後方向に向けた板状をなしている。カバー本体１１には、その前面（図６にあらわれている面）を略Ｌ字形に凹ませた形態の第１凹部１２Ａと第２凹部１２Ｂとが形成されている。第１凹部１２Ａは、上下方向に長い略長方形をなしていて深さ浅く且つ均一とされた第１収容凹部１３Ａと、第１収容凹部１３Ａの下端部から側方へ延びてカバー本体１１の側縁に開口された第１弧状凹部１４Ａとから構成されている。第２凹部１２Ｂは、略正方形をなしていて深さが均一の第２収容凹部１３Ｂと、第２収容凹部１３Ｂの下端部から側方へ延びてカバー本体１１の側縁に開口された第２弧状凹部１４Ｂとから構成されている。
【００２０】
図２，４，６に示すように、第１凹部１２Ａには、第１収容凹部１３Ａの前面から前方へ突出した第１嵌合部１５Ａが一体に形成されている。第１嵌合部１５Ａは、第１収容凹部１３Ａの前面と直角をなす平板状をなし、板厚方向を左右方向（ボルト４４の軸線と交差する方向）に向けている。つまり、前方から見ると、第１嵌合部１５Ａは縦長（上下方向）の細長い長方形をなしている。この形状は、第１嵌合部１５Ａの突出方向と直角な断面形状と同じ形状である。第１嵌合部１５Ａの突出寸法は、第１収容凹部１３Ａの深さ寸法、及び後述する第１端子金具３０Ａの板厚寸法（第１板状取付部３２Ａの厚さ寸法）よりも大きい。この第１嵌合部１５Ａには、左右方向（板厚方向）に貫通した孔状をなす第１ロック部１６Ａが形成されている。
【００２１】
第２凹部１２Ｂには、第２収容凹部１３Ｂの前面から前方へ突出した第２嵌合部１５Ｂが一体に形成されている。第２嵌合部１５Ｂは、第２収容凹部１３Ｂの前面と直角をなす平板状をなし、板厚方向を左右方向に向けている。つまり、前方から見ると、第２嵌合部１５Ｂは縦長（上下方向）の細長い長方形をなしている。この形状は、第２嵌合部１５Ｂの突出方向と直角な断面形状と同じ形状である。第２嵌合部１５Ｂの突出寸法は、第２収容凹部１３Ｂの深さ寸法、及び後述する第２端子金具３０Ｂの板厚寸法（第２板状取付部３２Ｂの厚さ寸法）よりも大きい。第２嵌合部１５Ｂには、左右方向（板厚方向）に貫通した孔状をなす第２ロック部１６Ｂが形成されている。第１嵌合部１５Ａと第２嵌合部１５Ｂは、形状及び大きさが同一である。
【００２２】
蓋１７は、全体として板厚方向を前後方向（ボルト４４の軸線と交差する方向）に向けた板状をなしている。図６に示すように、この蓋１７は、その上端縁においてカバー本体１１の下端縁に対して左右一対の薄い平板状をなすヒンジ２０を介して連結されている。蓋１７とカバー本体１１を合体する際には、ヒンジ２０が略半円形に曲げ変形させられ、図５，８に示すように、蓋１７が、ヒンジ２０を支点として反転するように揺動変位し、カバー本体１１に対して前方から接近して合体させる。図３に示すように、蓋１７をカバー本体１１に合体した状態では、第１凹部１２Ａの全領域と第２凹部１２Ｂの全領域が、蓋１７によって覆い隠されるようになっている。
【００２３】
図４，６に示すように、蓋１７には、その後面側（合体状態では端子カバー１０の外部に露出する外面側）へ角筒状に突出した形態であって、蓋１７を前後方向に貫通する第１筒状部１８Ａが形成されている。蓋１７をカバー本体１１に合体した状態では、第１嵌合部１５Ａと第１筒状部１８Ａとが嵌合され、第１嵌合部１５Ａが第１筒状部１８Ａ内に収容されるようになっている。第１筒状部１８Ａには、その内側面から突出した突起状をなす第１係止部１９Ａが形成されている。蓋１７をカバー本体１１に合体した状態では、第１係止部１９Ａが第１ロック部１６Ａに係止し、この係止作用によって蓋１７とカバー本体１１とが合体状態にロックされるようになっている。
【００２４】
蓋１７には、その後面側（合体状態では端子カバー１０の外部に露出する外面側）へ角筒状に突出した形態であって、蓋１７を前後方向に貫通する第２筒状部１８Ｂが形成されている。蓋１７をカバー本体１１に合体した状態では、第２嵌合部１５Ｂと第２筒状部１８Ｂとが嵌合され、第２嵌合部１５Ｂが第２筒状部１８Ｂ内に収容されるようになっている。第２筒状部１８Ｂには、その内側面から突出した突起状をなす第２係止部１９Ｂが形成されている。蓋１７をカバー本体１１に合体した状態では、第２係止部１９Ｂが第２ロック部１６Ｂに係止し、この係止作用によって蓋１７とカバー本体１１とが合体状態にロックされるようになっている。
【００２５】
図７に示すように、第１端子金具３０Ａは、所定の形状に打ち抜いた金属板材に曲げ加工等を施して成形され、正面形状が略Ｌ字形をなしている。第１端子金具３０Ａは、側方から見てＬ字形をなす第１端子本体３１Ａと、第１端子本体３１Ａの下端部から側方へ延出した形態のオープンバレル状の第１圧着部３５Ａとから構成される。第１端子本体３１Ａは、板厚方向を前後方向に向けた第１板状取付部３２Ａと、第１板状取付部３２Ａの上端縁から前方へ突出した形態であって板厚方向を上下方向に向けた第１板状接続部３３Ａとから構成されている。第１板状接続部３３Ａには、その板厚方向（上下方向）に貫通する第１ボルト孔３４Ａが形成されている。第１圧着部３５Ａには、軸線を左右方向に向けた第１電線３６Ａの端末部が、圧着により導通可能に固着されている。
【００２６】
第１板状取付部３２Ａには、板厚方向（前後方向）に貫通した形態の第１嵌合孔３７Ａが形成されている。第１嵌合孔３７Ａは、第１板状取付部３２Ａを第１収容凹部１３Ａに収容した状態で、第１嵌合部１５Ａに嵌合され、第１嵌合部１５Ａの突出端部（前端部）が第１板状取付部３２Ａから前方へ突出した状態となる。第１嵌合部１５Ａと第１嵌合孔３７Ａは、上下方向及び左右方向への相対移動を規制された状態で（ガタ付きなく）嵌合される。また、第１嵌合部１５Ａの左右寸法（板厚）は、第１嵌合孔３７Ａの左右寸法よりも少し大きい寸法とされているので、第１嵌合部１５Ａと第１嵌合孔３７Ａは、圧入状態で嵌合される。これにより、第１嵌合部１５Ａの外面と第１嵌合孔３７Ａの内面とが密着し、両面間の摩擦力により、第１端子金具３０Ａは、第１嵌合部１５Ａに対して前後方向への相対移動（つまり、カバー本体１１からの離脱）を規制された状態に保持される。
【００２７】
第１端子金具３０Ａをカバー本体１１に組み付けた状態では、第１板状取付部３２Ａが第１収容凹部１３Ａに収容されるとともに、第１圧着部３５Ａが第１弧状凹部１４Ａに収容される。この状態から、蓋１７をカバー本体１１に組み付けて合体状態にすると、第１板状取付部３２Ａと第１圧着部３５Ａが蓋１７によって覆い隠され、第１板状接続部３３Ａがカバー本体１１の上端縁部付近から前方へ突出し、第１電線３６Ａがカバー本体１１から側方へ導出された状態となる。また、第１嵌合部１５Ａの突出端部が第１筒状部１８Ａ内に収容され、第１筒状部１８Ａ内では、第１ロック部１６Ａと第１係止部１９Ａとが係止し、この係止作用によって蓋１７とカバー本体１１とが合体状態（組付け状態）にロックされる。
【００２８】
第２端子金具３０Ｂは、所定の形状に打ち抜いた金属板材に曲げ加工等を施して成形され、正面形状が略Ｌ字形をなしている。第２端子金具３０Ｂは、側方から見てＬ字形をなす第２端子本体３１Ｂと、第２端子本体３１Ｂの下端部から側方へ延出した形態のオープンバレル状の第２圧着部３５Ｂとから構成される。第２端子本体３１Ｂは、板厚方向を前後方向に向けた第２板状取付部３２Ｂと、第２板状取付部３２Ｂの上端縁から前方へ突出した形態であって板厚方向を上下方向に向けた第２板状接続部３３Ｂとから構成されている。第２板状接続部３３Ｂには、その板厚方向（上下方向）に貫通する第２ボルト孔３４Ｂが形成されている。第２圧着部３５Ｂには、軸線を左右方向に向けた第２電線３６Ｂの端末部が、圧着により導通可能に固着されている。
【００２９】
第２板状取付部３２Ｂには、板厚方向（前後方向）に貫通した形態の第２嵌合孔３７Ｂが形成されている。第２嵌合孔３７Ｂは、第２板状取付部３２Ｂを第２収容凹部１３Ｂに収容した状態で、第２嵌合部１５Ｂに嵌合され、第２嵌合部１５Ｂの突出端部（前端部）が第２板状取付部３２Ｂから前方へ突出した状態となる。第２嵌合部１５Ｂの上下寸法と左右寸法は、第２嵌合孔３７Ｂの上下寸法と左右寸法よりも少し小さい寸法とされているので、第２嵌合部１５Ｂと第２嵌合孔３７Ｂは、上下方向及び左右方向への相対移動を許容された状態（ガタ付きを生じうる状態）で嵌合される。
【００３０】
第２端子金具３０Ｂをカバー本体１１に組み付けた状態では、第２板状取付部３２Ｂが第２収容凹部１３Ｂに収容されるとともに、第２圧着部３５Ｂが第２弧状凹部１４Ｂに収容される。この収容状態では、第２板状取付部３２Ｂと第２収容凹部１３Ｂとの間に、第２端子金具３０Ｂがカバー本体１１に対して上下方向、左右方向及び上下方向へ相対変位するのを許容するクリアランス（図示省略）が確保されているとともに、第２圧着部３５Ｂと第２弧状凹部１４Ｂとの間にも、第２端子金具３０Ｂがカバー本体１１に対して上下方向、左右方向及び上下方向へ相対変位するのを許容するクリアランス（図示省略）が確保されている。
【００３１】
第２端子金具３０Ｂをカバー本体１１に組み付けた状態から、蓋１７をカバー本体１１に組み付けて合体状態にすると、第２板状取付部３２Ｂと第２圧着部３５Ｂが蓋１７によって覆い隠され、第２板状接続部３３Ｂがカバー本体１１の上端縁部付近から前方へ突出し、第２電線３６Ｂがカバー本体１１から側方へ導出された状態となる。この合体状態では、蓋１７と第２端子金具３０Ｂとの間に、第２端子金具３０Ｂが端子カバー１０に対して前後方向への相対変位を許容するクリアランス（図示省略）が確保されている。また、第２嵌合部１５Ｂの突出端部が第２筒状部１８Ｂ内に収容され、第２筒状部１８Ｂ内では、第２ロック部１６Ｂと第２係止部１９Ｂとが係止し、この係止作用によって蓋１７とカバー本体１１とが合体状態（組付け状態）にロックされる。
【００３２】
上記のように第１端子金具３０Ａは、前後方向、上下方向及び左右方向のいずれの方向においても、端子カバー１０に対する相対変位を規制されているのに対し、第２端子金具３０Ｂは、前後方向、上下方向及び左右方向のいずれの方向においても、端子カバー１０に対する相対変位を許容されている。したがって、端子カバー１０に取り付けられた第１端子金具３０Ａと第２端子金具３０Ｂは、前後方向、上下方向及び左右方向のいずれの方向においても、互いに相対変位を許容された関係となっている。
【００３３】
端子カバー１０に第１端子金具３０Ａと第２端子金具３０Ｂを組み付けて構成したコネクタＣａを機器４０に取り付ける際には、第１板状接続部３３Ａと第２板状接続部３３Ｂを、夫々、第１相手側端子４２Ａと第２相手側端子４２Ｂに対して上から重ね、第１ボルト孔３４Ａを第１相手側端子４２Ａの第１雌ネジ孔４３Ａに整合させるとともに、第２ボルト孔３４Ｂを第２相手側端子４２Ｂの第２雌ネジ孔４３Ｂに整合させる。そして、第１ボルト孔３４Ａに差し込んだボルト４４を、第１雌ネジ孔４３Ａに螺合して締め付けるとともに、第２ボルト孔３４Ｂに差し込んだボルト４４を、第２雌ネジ孔４３Ｂに螺合して締め付ける。
【００３４】
このボルト４４による接続の際に、第１雌ネジ孔４３Ａと第２雌ネジ孔４３Ｂの位置関係にバラツキがあっても、第２端子金具３０Ｂは第１端子金具３０Ａに対して相対変位を許容された状態となっているので、両端子金具３０Ａ，３０Ｂを相対変位させることにより、第１ボルト孔３４Ａと第２ボルト孔３４Ｂを、夫々、第１雌ネジ孔４３Ａと第２雌ネジ孔４３Ｂに整合させることができる。
【００３５】
また、カバー本体１１に第１端子金具３０Ａと第２端子金具３０Ｂを組み付ける際には、先に第１端子金具３０Ａをカバー本体１１に組み付けておく。組み付けられた第１端子金具３０Ａは、第１嵌合部１５Ａと第１嵌合孔３７Ａとの圧入による嵌合により、カバー本体１１に対して離脱規制状態に保持されるので、作業者は、第１端子金具３０Ａから手を離して、第２端子金具３０Ｂの組付け作業に取りかかることができる。したがって、端子カバー１０に対する両端子金具３０Ａ，３０Ｂの組付け作業が容易となっている。
【００３６】
また、嵌合部１５Ａ，１５Ｂは、嵌合孔３７Ａ，３７Ｂに対し貫通するように嵌合される突起状をなしているので、嵌合部１５Ａ，１５Ｂの突出寸法を長くして端子金具３０Ａ，３０Ｂとの嵌合代を大きく確保することができる。これにより、端子金具３０Ａ，３０Ｂを確実に嵌合状態に保持することができる。
【００３７】
また、嵌合部１５Ａ，１５Ｂのうち端子金具３０Ａ，３０Ｂを貫通した突出端側の位置には、蓋１７に形成した係止部１９Ａ，１９Ｂを係止させることでカバー本体１１と蓋１７を合体状態にロック可能なロック部１６Ａ，１６Ｂが形成されている。このように、本実施形態では、嵌合部１５Ａ，１５Ｂを利用して、カバー本体１１と蓋１７を合体状態にロックするようにしたので、嵌合部とは別にロック部を設ける場合に比べると、カバー本体１１の形状の簡素化を図ることが可能である。
【００３８】
また、嵌合部１５Ａ，１５Ｂは、カバー本体１１と蓋１７を合体した状態で蓋１７を貫通する形態とされているのであるが、このように嵌合部１５Ａ，１５Ｂの突出寸法を長くして端子金具３０Ａ，３０Ｂとの嵌合代を大きく確保した場合、蓋１７を貫通して蓋１７の外面側に露出した嵌合部１５Ａ，１５Ｂの突出端部が、他部材の干渉によって損壊することが懸念される。そこで本実施形態では、蓋１７に、蓋１７の外面側に突出した形態であって、カバー本体１１と蓋１７を合体した状態で嵌合部１５Ａ，１５Ｂの突出端部を包囲する筒状部１８Ａ，１８Ｂを形成している。この構成によれば、嵌合部１５Ａ，１５Ｂの突出端部が筒状部１８Ａ，１８Ｂで保護されるので、嵌合部１５Ａ，１５Ｂの突出端部の損壊を回避しながら、嵌合部１５Ａ，１５Ｂと端子金具３０Ａ，３０Ｂとの嵌合代を大きく確保することができる。
【００３９】
＜実施形態２＞
次に、本発明を具体化した実施形態２を図１０〜１５を参照して説明する。コネクタＣｂは、端子カバー５０に、第１と第２の２つの端子金具７０Ａ，７０Ｂを組み付けることによって構成されており、実施形態１と同じ機器４０に設けた端子台４１に接続される。端子カバー５０は、合成樹脂からなり、カバー本体５１と蓋５７とをヒンジ６０で連結した単一部品である。以下、カバー本体５１と蓋５７を合体する前の状態、即ち、金型成形された状態に基づいて、端子カバー５０の形状、構造を説明する。
【００４０】
図１４に示すように、カバー本体５１は、全体として板厚方向を前後方向に向けた板状をなしている。カバー本体５１には、その前面（図１４にあらわれている面）を凹ませた形態の第１凹部５２Ａと第２凹部５２Ｂとが形成されている。第１凹部５２Ａは、上下方向に長い略長方形をなしていて深さ浅く且つ均一とされた第１収容凹部５３Ａと、第１収容凹部５３Ａの下端部から下方へ延びてカバー本体５１の下端縁に開口された第１弧状凹部５４Ａとから構成されている。第２凹部５２Ｂは、上下方向に長い略長方形をなしていて深さ浅く且つ均一とされた第２収容凹部５３Ｂと、第２収容凹部５３Ｂの下端部から下方へ延びてカバー本体５１の下端縁に開口された第２弧状凹部５４Ｂとから構成されている。
【００４１】
第１凹部５２Ａには、第１収容凹部５３Ａの前面から前方へ突出した第１嵌合部５５Ａが一体に形成されている。第１嵌合部５５Ａは、第１収容凹部５３Ａの前面と直角をなす平板状をなし、板厚方向を左右方向（ボルト４４の軸線と交差する方向）に向けている。つまり、前方から見ると、第１嵌合部５５Ａは縦長（上下方向）の細長い長方形をなしている。この形状は、第１嵌合部５５Ａの突出方向と直角な断面形状と同じ形状である。第１嵌合部５５Ａの突出寸法は、第１収容凹部５３Ａの深さ寸法、及び後述する第１端子金具７０Ａの板厚寸法（第１板状取付部７２Ａの厚さ寸法）よりも大きい。第１嵌合部５５Ａには、左右方向（板厚方向）に貫通した孔状をなす第１ロック部５６Ａが形成されている。
【００４２】
第２凹部５２Ｂには、第２収容凹部５３Ｂの前面から前方へ突出した第２嵌合部５５Ｂが一体に形成されている。第２嵌合部５５Ｂは、第２収容凹部５３Ｂの前面と直角をなす平板状をなし、板厚方向を左右方向に向けている。つまり、前方から見ると、第２嵌合部５５Ｂは縦長（上下方向）の細長い長方形をなしている。この形状は、第２嵌合部５５Ｂの突出方向と直角な断面形状と同じ形状である。第２嵌合部５５Ｂの突出寸法は、第２収容凹部５３Ｂの深さ寸法、及び後述する第２端子金具７０Ｂの板厚寸法（第２板状取付部７２Ｂの厚さ寸法）よりも大きい。第２嵌合部５５Ｂには、左右方向（板厚方向）に貫通した孔状をなす第２ロック部５６Ｂが形成されている。第１嵌合部５５Ａと第２嵌合部５５Ｂは、形状及び大きさが同一であるが、第１嵌合部５５Ａは、第２嵌合部５５Ｂよりも下方に配置されている。
【００４３】
蓋５７は、全体として板厚方向を前後方向（ボルト４４の軸線と交差する方向）に向けた板状をなしている。この蓋５７は、その側縁においてカバー本体５１の側縁に対して上下一対の薄い平板状をなすヒンジ６０を介して連結されている。蓋５７とカバー本体５１を合体する際には、ヒンジ６０が略半円形に曲げ変形させられ、蓋５７が、ヒンジ６０を支点として反転するように揺動変位し、カバー本体５１に対して前方から接近して合体させる。蓋５７をカバー本体５１に合体した状態では、第１凹部５２Ａの全領域と第２凹部５２Ｂの全領域が、蓋５７によって覆い隠されるようになっている。
【００４４】
図１１，１３に示すように、蓋５７には、その後面側（合体状態では端子カバー５０の外部に露出する外面側）へ角筒状に突出した形態であって、蓋５７を前後方向に貫通する第１筒状部５８Ａが形成されている。蓋５７をカバー本体５１に合体した状態では、第１嵌合部５５Ａと第１筒状部５８Ａとが嵌合され、第１嵌合部５５Ａが第１筒状部５８Ａ内に収容されるようになっている。第１筒状部５８Ａには、その内側面から突出した突起状をなす第１係止部５９Ａが形成されている。蓋５７をカバー本体５１に合体した状態では、第１係止部５９Ａが第１ロック部５６Ａに係止し、この係止作用によって蓋５７とカバー本体５１とが合体状態にロックされるようになっている。
【００４５】
蓋５７には、その後面側（合体状態では端子カバー５０の外部に露出する外面側）へ角筒状に突出した形態であって、蓋５７を前後方向に貫通する第２筒状部５８Ｂが形成されている。蓋５７をカバー本体５１に合体した状態では、第２嵌合部５５Ｂと第２筒状部５８Ｂとが嵌合され、第２嵌合部５５Ｂが第２筒状部５８Ｂ内に収容されるようになっている。第２筒状部５８Ｂには、その内側面から突出した突起状をなす第２係止部５９Ｂが形成されている。蓋５７をカバー本体５１に合体した状態では、第２係止部５９Ｂが第２ロック部５６Ｂに係止し、この係止作用によって蓋５７とカバー本体５１とが合体状態にロックされるようになっている。
【００４６】
図１５に示すように、第１端子金具７０Ａは、所定の形状に打ち抜いた金属板材に曲げ加工等を施して成形され、上下方向に細長い形状をなしている。第１端子金具７０Ａは、側方から見てＬ字形をなす第１端子本体７１Ａと、第１端子本体７１Ａの下端部から下方へ延出した形態のオープンバレル状の第１圧着部７５Ａとから構成される。第１端子本体７１Ａは、板厚方向を前後方向に向けた第１板状取付部７２Ａと、第１板状取付部７２Ａの上端縁から前方へ突出した形態であって板厚方向を上下方向に向けた第１板状接続部７３Ａとから構成されている。第１板状接続部７３Ａには、その板厚方向（上下方向）に貫通する第１ボルト孔７４Ａが形成されている。第１圧着部７５Ａには、軸線を左右方向に向けた第１電線７６Ａの端末部が、圧着により導通可能に固着されている。
【００４７】
第１板状取付部７２Ａには、板厚方向（前後方向）に貫通した形態の第１嵌合孔７７Ａが形成されている。第１嵌合孔７７Ａは、第１板状取付部７２Ａを第１収容凹部５３Ａに収容した状態で、第１嵌合部５５Ａに嵌合され、第１嵌合部５５Ａの突出端部（前端部）が第１板状取付部７２Ａから前方へ突出した状態となる。第１嵌合部５５Ａと第１嵌合孔７７Ａは、上下方向及び左右方向への相対移動を規制された状態で（ガタ付きなく）嵌合される。また、第１嵌合部５５Ａの左右寸法（板厚）は、第１嵌合孔７７Ａの左右寸法よりも少し大きい寸法とされているので、第１嵌合部５５Ａと第１嵌合孔７７Ａは、圧入状態で嵌合される。これにより、第１嵌合部５５Ａの外面と第１嵌合孔７７Ａの内面とが密着し、両面間の摩擦力により、第１端子金具７０Ａは、第１嵌合部５５Ａに対して前後方向への相対移動（つまり、カバー本体５１からの離脱）を規制された状態に保持される。
【００４８】
第１端子金具７０Ａをカバー本体５１に組み付けた状態では、第１板状取付部７２Ａが第１収容凹部５３Ａに収容されるとともに、第１圧着部７５Ａが第１弧状凹部５４Ａに収容される。この状態から、蓋５７をカバー本体５１に組み付けて合体状態にすると、第１板状取付部７２Ａと第１圧着部７５Ａが蓋５７によって覆い隠され、第１板状接続部７３Ａがカバー本体５１の上端縁部付近から前方へ突出し、第１電線７６Ａがカバー本体５１から下方へ導出された状態となる。また、第１嵌合部５５Ａの突出端部が第１筒状部５８Ａ内に収容され、第１筒状部５８Ａ内では、第１ロック部５６Ａと第１係止部５９Ａとが係止し、この係止作用によって蓋５７とカバー本体５１とが合体状態（組付け状態）にロックされる。
【００４９】
第２端子金具７０Ｂは、所定の形状に打ち抜いた金属板材に曲げ加工等を施して成形され、上下方向に細長い形状をなしている。第２端子金具７０Ｂは、側方から見てＬ字形をなす第２端子本体７１Ｂと、第２端子本体７１Ｂの下端部から下方へ延出した形態のオープンバレル状の第２圧着部７５Ｂとから構成される。第２端子本体７１Ｂは、板厚方向を前後方向に向けた第２板状取付部７２Ｂと、第２板状取付部７２Ｂの上端縁から前方へ突出した形態であって板厚方向を上下方向に向けた第２板状接続部７３Ｂとから構成されている。第２板状接続部７３Ｂには、その板厚方向（上下方向）に貫通する第２ボルト孔７４Ｂが形成されている。第２圧着部７５Ｂには、軸線を左右方向に向けた第２電線７６Ｂの端末部が、圧着により導通可能に固着されている。
【００５０】
第２板状取付部７２Ｂには、板厚方向（前後方向）に貫通した形態の第２嵌合孔７７Ｂが形成されている。第２嵌合孔７７Ｂは、第２板状取付部７２Ｂを第２収容凹部５３Ｂに収容した状態で、第２嵌合部５５Ｂに嵌合され、第２嵌合部５５Ｂの突出端部（前端部）が第２板状取付部７２Ｂから前方へ突出した状態となる。第２嵌合部５５Ｂの上下寸法と左右寸法は、第２嵌合孔７７Ｂの上下寸法と左右寸法よりも少し小さい寸法とされているので、第２嵌合部５５Ｂと第２嵌合孔７７Ｂは、上下方向及び左右方向への相対移動を許容された状態（ガタ付きを生じうる状態）で嵌合される。
【００５１】
第２端子金具７０Ｂをカバー本体５１に組み付けた状態では、第２板状取付部７２Ｂが第２収容凹部５３Ｂに収容されるとともに、第２圧着部７５Ｂが第２弧状凹部５４Ｂに収容される。この収容状態では、第２板状取付部７２Ｂと第２収容凹部５３Ｂとの間に、第２端子金具７０Ｂがカバー本体５１に対して上下方向、左右方向及び上下方向へ相対変位するのを許容するクリアランス（図示省略）が確保されているとともに、第２圧着部７５Ｂと第２弧状凹部５４Ｂとの間にも、第２端子金具７０Ｂがカバー本体５１に対して上下方向、左右方向及び上下方向へ相対変位するのを許容するクリアランス（図示省略）が確保されている。
【００５２】
第２端子金具７０Ｂをカバー本体５１に組み付けた状態から、蓋５７をカバー本体５１に組み付けて合体状態にすると、第２板状取付部７２Ｂと第２圧着部７５Ｂが蓋５７によって覆い隠され、第２板状接続部７３Ｂがカバー本体５１の上端縁部付近から前方へ突出し、第２電線７６Ｂがカバー本体５１から下方へ導出された状態となる。この合体状態では、蓋５７と第２端子金具７０Ｂとの間に、第２端子金具７０Ｂが端子カバー５０に対して前後方向への相対変位を許容するクリアランス（図示省略）が確保されている。また、第２嵌合部５５Ｂの突出端部が第２筒状部５８Ｂ内に収容され、第２筒状部５８Ｂ内では、第２ロック部５６Ｂと第２係止部５９Ｂとが係止し、この係止作用によって蓋５７とカバー本体５１とが合体状態（組付け状態）にロックされる。
【００５３】
上記のように第１端子金具７０Ａは、前後方向、上下方向及び左右方向のいずれの方向においても、端子カバー５０に対する相対変位を規制されているのに対し、第２端子金具７０Ｂは、前後方向、上下方向及び左右方向のいずれの方向においても、端子カバー５０に対する相対変位を許容されている。したがって、端子カバー５０に取り付けられた第１端子金具７０Ａと第２端子金具７０Ｂは、前後方向、上下方向及び左右方向のいずれの方向においても、互いに相対変位を許容された関係となっている。
【００５４】
尚、端子カバー５０に第１端子金具７０Ａと第２端子金具７０Ｂを取り付ける作業行程、第１端子金具７０Ａと第２端子金具７０Ｂを、機器４０の第１相手側端子４２Ａと第２相手側端子４２Ｂに接続する作業工程、それらの作業を実施することに伴う本実施形態の作用と効果は、上記実施形態１と同じであるため、説明は省略する。
【００５５】
＜他の実施形態＞
本発明は上記記述及び図面によって説明した実施形態に限定されるものではなく、例えば次のような実施形態も本発明の技術的範囲に含まれる。
（１）上記実施形態１，２では、１つの端子カバーに２つの端子金具を組み付ける場合について説明したが、本発明は、１つの端子カバーに３つ以上の端子金具を組み付ける場合にも適用できる。
（２）上記実施形態１，２では、２つの嵌合部のうち一方の嵌合部（第１嵌合部）が、端子金具をカバー本体からの離脱規制状態に嵌合させ、他方の嵌合部（第２嵌合部）が、端子金具をカバー本体からの離脱を許容するように嵌合させたが、これに限らず、第１嵌合部と第２嵌合部の両方が、端子金具をカバー本体からの離脱規制状態に嵌合させるようにしてもよい。
（３）上記実施形態１，２では、２つの嵌合部のうち一方の嵌合部（第１嵌合部）が、端子金具をボルトの軸線と交差する方向への相対変位を規制した状態に嵌合させ、他方の嵌合部（第２嵌合部）が、端子金具をボルトの軸線と交差する方向への相対変位を許容する状態に嵌合させたが、これに限らず、第１嵌合部が、端子金具をボルトの軸線と交差する方向への相対変位を許容する状態に嵌合させ、第２嵌合部が、端子金具をボルトの軸線と交差する方向への相対変位を規制した状態に嵌合させるようにしてもよく、第１嵌合部と第２嵌合部の両方が、端子金具をボルトの軸線と交差する方向への相対変位を許容する状態に嵌合させるようにしてもよい。
（４）上記実施形態１，２では、２つの嵌合部を同じ形状で同じ寸法としたが、２つの嵌合部は、同じ形状であって異なる寸法にしてもよく、互いに異なる形状としてもよい。
（５）上記実施形態１，２では、嵌合部を板状に突出する形状としたが、嵌合部はブロック状でもよい。
（６）上記実施形態１，２では、嵌合部の突出方向と直角な断面形状を長方形としたが、嵌合部の突出方向と直角な断面形状は、正方形でもよく、方形以外の多角形でもよく、曲線からなる形状（円形、楕円形、長円形等）でもよく、直線と曲線とで構成された形状でもよい。
（７）上記実施形態では、１つの端子金具に１つの嵌合部を嵌合させたが、１つの端子金具に複数の嵌合部を嵌合させてもよい。
（８）上記実施形態１，２では、嵌合部を突起状として端子金具に貫通させる形態としたが、嵌合部は、端子金具を収容可能な凹部と、凹部の開口縁に形成して端子金具を係止させる係止突起とによって構成されていてもよい。
（９）上記実施形態１，２では、嵌合部に、カバー本体と蓋を合体状態にロックするためのロック部を形成したが、カバー本体と蓋を合体状態にロックするためのロック部は、嵌合部以外の部位に形成してもよい。
（１０）上記実施形態１，２では、ロック部に係止される係止部を、筒状部の内部に形成したが、係止部は筒状部の外部に形成してもよい。
（１１）上記実施形態１，２では、カバー本体と蓋を合体した状態では、嵌合部の突出端部を、蓋の筒状部で包囲して露出しないようにしたが、嵌合部の突出端部を、筒状部で包囲せずに蓋の外面側に露出させてもよい。
（１２）上記実施形態１，２では、カバー本体に、端子金具を収容して位置決めするための凹部を形成したが、カバー本体に凹部を形成せず、嵌合部だけで端子金具を位置決めしてもよい。
（１３）上記実施形態１，２では、カバー本体と蓋をヒンジで連結して端子カバーを単一の部品としたが、カバー本体と蓋を別体の部品としてもよい。
【符号の説明】
【００５６】
１０…端子カバー
１１…カバー本体
１５Ａ…第１嵌合部
１５Ｂ…第２嵌合部
１６Ａ…第１ロック部
１６Ｂ…第２ロック部
１７…蓋
１８Ａ…第１筒状部
１８Ｂ…第２筒状部
１９Ａ…第１係止部
１９Ｂ…第２係止部
３０Ａ…第１端子金具
３０Ｂ…第２端子金具
３７Ａ…第１嵌合孔
３７Ｂ…第２嵌合孔
４２Ａ…第１相手側端子
４２Ｂ…第２相手側端子
４４…ボルト
５０…端子カバー
５１…カバー本体
５５Ａ…第１嵌合部
５５Ｂ…第２嵌合部
５６Ａ…第１ロック部
５６Ｂ…第２ロック部
５７…蓋
５８Ａ…第１筒状部
５８Ｂ…第２筒状部
５９Ａ…第１係止部
５９Ｂ…第２係止部
７０Ａ…第１端子金具
７０Ｂ…第２端子金具
７７Ａ…第１嵌合孔
７７Ｂ…第２嵌合孔
【図１】
2012069271.tif 000003
【図２】
2012069271.tif 000004
【図３】
2012069271.tif 000005
【図４】
2012069271.tif 000006
【図５】
2012069271.tif 000007
【図６】
2012069271.tif 000008
【図７】
2012069271.tif 000009
【図８】
2012069271.tif 000010
【図９】
2012069271.tif 000011
【図１０】
2012069271.tif 000012
【図１１】
2012069271.tif 000013
【図１２】
2012069271.tif 000014
【図１３】
2012069271.tif 000015
【図１４】
2012069271.tif 000016
【図１５】
2012069271.tif 000017